(57)【要約】      （修正有）【課題】開運や厄除け等の要素を持つ刀剣にちなんだお守りに関し、刀剣のご利益を少しでもあやかることが期待できる、持ち運びに好適なお守りを提供する。【解決手段】刀身を模したミニチュア１１と、ミニチュア１１における一方の面の鎬がおもて側を向いた姿勢でミニチュア１１が配置された台紙１２と、ミニチュア１１がおもて側から視認できるように台紙１２を包む袋体１３とを有する。【選択図】図１
0003203737.tif 000002
【実用新案登録請求の範囲】
【請求項１】
刀身を模したミニチュアと、
前記ミニチュアにおける一方の面の鎬がおもて側を向いた姿勢で該ミニチュアが配置された台紙と、
前記ミニチュアが前記おもて側から視認できるように前記台紙を包む袋体とを有することを特徴とするお守り。
【請求項２】
前記台紙は、前記ミニチュアが斜めに配置されたものであることを特徴とする請求項１記載のお守り。
【請求項３】
前記ミニチュアが、名刀と呼ばれる刀身を模したものであることを特徴とする請求項１又は２記載のお守り。
【請求項４】
前記ミニチュアが、前記一方の面とは反対の他方の面に平坦部が設けられ、該平坦部が前記台紙に固定されたものであることを特徴とする請求項１から３のうちいずれか１項記載のお守り。
【請求項５】
前記台紙が、紋と願い事の文字が記されたものであることを特徴とする請求項１から４のうちいずれか１項記載のお守り。
【考案の詳細な説明】
【技術分野】
【０００１】
本考案は、開運や厄除け等の要素を持つ刀剣にちなんだお守りに関する。
【背景技術】
【０００２】
刀剣には開運や厄除け等の要素があると信じられている。また、現在に伝わる名将達は、日本刀の機能美や神秘性に魅了されていたと言われている。
【０００３】
そこで、刀剣のご利益を少しでもあやかることができればという願いのもと、刀剣のお守りを考えてみると、実物の刀剣は大きくて重く、また現代では、実物の刀剣を気軽に持ち歩くことは法律により禁止されており、様々なお守りが存在しながらも（例えば、特許文献１〜３等参照）、実物の刀剣をお守りにすることは極めて困難である。
【先行技術文献】
【特許文献】
【０００４】
【特許文献１】実用新案登録第３０６６９１５号公報
【特許文献２】特開２００４−３５８０７２号公報
【特許文献３】実用新案登録第３１５１８０７号公報
【考案の概要】
【考案が解決しようとする課題】
【０００５】
本考案は上記事情に鑑み、刀剣のご利益を少しでもあやかることが期待できる、持ち運びに好適なお守りを提供することを目的とする。
【課題を解決するための手段】
【０００６】
上記目的を達成するための本考案のお守りは、
刀身を模したミニチュアと、
前記ミニチュアにおける一方の面の鎬がおもて側を向いた姿勢で該ミニチュアが配置された台紙と、
前記ミニチュアが前記おもて側から視認できるように前記台紙を包む袋体とを有することを特徴とする。
【０００７】
本考案によれば、開運や厄除け等の要素を持つ刀剣全体をミニチュアにするのではなく、より携帯性を向上させるため刀身のみをミニチュアにし、前記台紙と前記袋体によりパッケージ化したので、刀剣のご利益を少しでもあやかることが期待できる、持ち運びに好適なお守りを提供することができる。
【０００８】
なお、前記袋体は、封をせずに前記台紙を取り出すことが可能なものであってもよいし、封をして前記台紙を取り出せないようにしたものであってもよい。取り出し可能とすることで、刀身を模したミニチュアを手に取ることができるようになる。また、前記袋体は、全部が透明なものであってもよいし、一部が透明なものであってもよいし、半透明なものであってもよい。
【０００９】
さらに、前記ミニチュアは、前記台紙に固定されたものであってもよいし、該台紙に固定されてはいないが前記袋体が密封されることで該袋体内では動かないものであってもよい。
【００１０】
また、本考案のお守りにおいて、
前記台紙は、前記ミニチュアが斜めに配置されたものであってもよい。
【００１１】
ここにいう斜めとは、前記台紙の基準となる部位に対して傾いていることを意味し、該部位としては該台紙に記された文字であったり、あるいは該台紙が矩形状のものであれば、該台紙の縦辺であってもよい。また、前記ミニチュアが矩形状の該台紙の対角線に沿って配置されたものであってもよい。
【００１２】
前記ミニチュアが斜めに配置されていることで、少しでも大きなミニチュアを少しでもコンパクトに配置することができ、お守りとしての重厚感が増す。
【００１３】
また、本考案のお守りにおいて、
前記ミニチュアが、名刀と呼ばれる刀身を模したものであってもよい。
【００１４】
こうすることで、ミニチュアではあるが、名立たる美しい名刀を手元に持つ喜びを提供することができる。また、荘厳性が高められ、あらたかみのあるお守りを提供することもできる。
【００１５】
また、本考案のお守りにおいて、
前記ミニチュアが、前記一方の面とは反対の他方の面に平坦部が設けられ、該平坦部が前記台紙に固定された態様であってもよい。
【００１６】
この態様によれば、ご神体になる前記ミニチュアをしっかりと目立つことなく容易に固定することができる。
【００１７】
なお、前記ミニチュアは、前記他方の面全体が前記平坦部であってもよいし、一部のみが前記平坦部であってもよい。
【００１８】
さらに、本考案のお守りにおいて、
前記台紙が、紋と願い事の文字が記されたものであってもよい。
【００１９】
この台紙によって、よりあらたかみのあるお守りを提供することができる。
【００２０】
なお、前記台紙は、さらに御朱印も記されているものであってもよい。
【考案の効果】
【００２１】
本考案によれば、刀剣のご利益を少しでもあやかることが期待できる、持ち運びに好適なお守りを提供することができる。
【図面の簡単な説明】
【００２２】
【図１】本考案の一実施形態であるお守りが販売用パッケージに収められた様子を示す図である。
【図２】図１に示す９種類のミニチュアを示す図である。
【図３】図１に示す台紙と袋体を説明するための図である。
【考案を実施するための形態】
【００２３】
以下図面を参照して、本考案の実施形態を説明する。
【００２４】
図１は、本考案の一実施形態であるお守りが販売用パッケージに収められた様子を示す図である。
【００２５】
図１には、本考案を適用した９種類のお守り１０が上下二段に示されている。各お守り１０は、刀身を模したミニチュア１１をご神体にしている。このミニチュア１１は、名刀と呼ばれる刀身を模したものであり、図１の上段には、左から順に「三日月宗近」、「へし切り長谷部」、「加州清光」、「鶴丸国永」、「燭台切光忠」を模したミニチュア１１をご神体にするお守りが示されている。また、図１の下段には、左から順に「大倶梨伽羅」、「千子村正」、「宗三左文字」、「ソハヤノツルギ」を模したミニチュア１１をご神体にするお守りが示されている。このように名刀と呼ばれる刀身を模すことで、荘厳性が高められ、あらたかみのあるお守りになる。また、各お守り１０は、ミニチュア１１が配置された台紙１２と、その台紙１２を包む全体が透明な袋体１３を有し、矩形状である。なお、各お守り１０の詳しい説明については後述することにして、ここでは、販売用パッケージ２０について説明する。販売用パッケージ２０は、化粧紙２１と、その化粧紙２１が収納される透明なＯＰＰ（Ｏｒｉｅｎｔｅｄ  ＰｏｌｙＰｒｏｐｙｌｅｎｅ）袋２２を有する。化粧紙２１とＯＰＰ袋２２それぞれには、ＯＰＰ袋２２に化粧紙２１を収納して封を閉じたときに揃う位置に、吊り下げ用の貫通孔２００が設けられている。また、化粧紙２１には、袋体１３の四隅をそれぞれ固定する固定部２１１が設けられている。図１に示す固定部２１１は、袋体１３の四隅が差し込まれるスリットである。なお、固定部は、下方の２つのスリットと、上方中央に切込みを入れて引き上げた切片との組合せであってもよい。下方の２つのスリットに差し込まれた袋体１３の上縁部中央部分を、この切片によって挟み込ませ、袋体１３を化粧紙２１に固定してもよい。
【００２６】
また、この化粧紙２１は、１枚の用紙の右端部分になる縦帯部２１２を１８０度折り返したものである。すなわち、折り返される前の縦帯部２１２では裏面であった面が、折り返されることでおもて面になっている。この折り返されることでおもて面になった面には、金色の文字で「日本刀のお守り」と共通に記されている。また、その下には、それぞれのミニチュア１１が模した刀身の名前が大きく記されており、右下隅には印影を模した赤い表示２１２ｓが印刷されている。さらに、各刀身についての一行の解説文も記されている。また、化粧紙２１の左上には、それぞれのお守り１０ごとに特にご利益がある願い事（健康長寿、家内安全等）が刻まれた印影を模した赤い表示２１ｓも印刷されている。ＯＰＰ袋２２では、化粧紙２１を収納した後、裏側に設けられたシール部を利用して封をする。
【００２７】
さらに、化粧紙２１の裏面には、品番、ＪＡＮコード、取扱い注意書きが印刷されている。なお、この裏面には、各刀身についてのより詳しい説明文を記してもよい。
【００２８】
図２は、図１に示す９種類のミニチュアを示す図である。
【００２９】
この図２では、各刀身の名前ごとに、左側に実物の刀身を縮小して示し、右側に、その刀身を模したミニチュア１１を示してある。また、実物の刀身の茎（中心）Ｋ１等に模様や文字が彫られている場合には、それらの模様や文字を拡大して示している。ミニチュア１１では、これらの模様や文字も忠実に再現している。また、ミニチュア１１は、目釘穴Ｋ２の位置および数も忠実に再現している。さらに、ミニチュア１１は、刀身の鎬Ｋ３がそれぞれ設けられた二面の内、茎（中心）Ｋ１に模様や文字が刻まれていた場合には、それらが刻まれている方の面、刻まれていない場合には、切刃Ｋ４を向かって左側に向けたときに正面になる面については、色および形状につき忠実に再現している。いずれのミニチュア１１も、全高８０ｍｍの金属（亜鉛）製であり、表面はメッキ加工が施されている。「燭台切光忠」のミニチュア１１を除けばいずれのミニチュア１１も、光沢のある銀色のメッキが施されている。上段左端の「三日月宗近」のミニチュア１１は、目釘穴Ｋ２が１つであり、反りが大きい形状であって、最大幅は７．５ｍｍである。その右横の「へし切り長谷部」のミニチュア１１は、目釘穴Ｋ２が１つであり、文字が彫られており、最大幅は５．３ｍｍである。「加州清光」のミニチュア１１は、目釘穴Ｋ２が１つであり、反りがつけられており、最大幅は３．６ｍｍである。「鶴丸国永」のミニチュア１１は、目釘穴Ｋ２が２つであって、最大幅は４．３ｍｍである。「燭台切光忠」のミニチュア１１は、光沢のある黒のメッキを施して焼刀の雰囲気を再現し、目釘穴Ｋ２が２つであって、最大幅は６．８ｍｍである。下段左端の「大倶梨伽羅」のミニチュア１１は、目釘穴Ｋ２が１つであって、文字ではなく、「倶利伽羅龍」が彫られており、最大幅は５．０ｍｍである。また、この「大倶梨伽羅」のミニチュア１１は、切刃Ｋ４が向かって右側を向いている。その右横の「千子村正」のミニチュア１１は、目釘穴Ｋ２が１つであって、「村正」という文字が彫られており、最大幅は４．２ｍｍである。「宗三左文字」のミニチュア１１は、目釘穴Ｋ２が１つであって、文字が彫られており、最大幅は６．０ｍｍである。この「宗三左文字」のミニチュア１１は、切刃Ｋ４が向かって右側を向いている。「ソハヤノツルギ」のミニチュア１１は、目釘穴Ｋ２が１つであって、「ソハヤノツルギ」という文字が彫られており、最大幅は７．３ｍｍである。この「ソハヤノツルギ」のミニチュア１１も、切刃Ｋ４が向かって右側を向いている。
【００３０】
図２の下段右端には、「加州清光」のミニチュア１１の断面図が示されている。この断面図では、上面が鎬Ｋ３が再現された面Ｋ３１であり、この面Ｋ３１が正面（おもて側）を向く。切刃Ｋ４は左側に位置している。一方、下面Ｋ８１は、裏側を向く面であって、平坦に形成されており、平坦部の一例に相当する。図２に示すいずれのミニチュア１１も、裏側になる面（下面Ｋ８１）は全面が平坦である。
【００３１】
なお、ミニチュア１１は金属製であったが、樹脂製であってもよい。
【００３２】
図３は、図１に示す台紙と袋体を説明するための図である。
【００３３】
図１に示す台紙１２は、厚さ１ｍｍの矩形の芯紙に巻紙を貼ったものになる。図３（ａ）は芯紙１２１を示し、同図（ｂ）は図１に示す「千子村正」のおもて側巻紙１２２を示し、同図（ｃ）は「千子村正」の裏側巻紙１２３を示す。図３（ａ）に示す芯紙１２１は、縦８０ｍｍ、横２８ｍｍの大きさであって、９種類のお守り１０に共通して使用される。
【００３４】
図３（ｂ）に示すおもて側巻紙１２２にしても、同図（ｃ）に示す裏側巻紙１２３にしても、和紙タイプの紙にオフセット印刷及びシルク印刷を行ったもので、各お守りに合わせて、印刷内容が異なるが、おもて側巻紙１２２には、２種類の金色の紋１２２ａ，１２２ｂと、本図では見えにくいが中央部分に御朱印１２２ｃが印刷されている。また、右上には「御神刀」という文字が印刷され、左下には、特にご利益がある願い事（災難厄除）を表す文字が印刷されている。一方、裏側巻紙１２３には、名刀の名前である「千子村正」の文字が印刷されている。
【００３５】
そして、図３（ｂ）に示すおもて側巻紙１２２は、上下左右に折返片１２２１〜１２２４が設けられている。このおもて側巻紙１２２は、実線に沿って切り抜かれ、同図（ａ）に示す芯紙１２１をおもて側から包みこみ、点線に沿って各折返片１２２１〜１２２４を裏側に折り返す。図３（ｃ）に示す裏側巻紙１２３も、実線に沿って切り抜かれ、折り返された各折返片１２２１〜１２２４の上から貼り付けられる。こうして、図１に示す台紙１２は完成する。
【００３６】
次に、完成した台紙１２のおもて面に、図２に示す「千子村正」のミニチュア１１を斜めに配置する。すなわち、矩形状の台紙１２の対角線に沿って、切刃Ｋ４が向かって左側を向くように配置する。ミニチュア１１は、台紙の右上に印刷された「御神刀」という文字に対して左側に傾いて配置されている。ミニチュア１１が斜めに配置されていることで、少しでも大きなミニチュアを少しでもコンパクトに配置することができ、お守りとしての重厚感が増す。
【００３７】
ここで、図２を用いて説明したように、ミニチュア１１の裏側になる面（図２に示す下面Ｋ８１）は全面が平坦であり、この面に両面テープを貼って、台紙１２のおもて面に直接しっかりと貼り付ける。なお、接着剤を使用し台紙１２のおもて面に直接しっかりと貼り付けても良い。こうすることで、ご神体になるミニチュア１１をしっかりと目立つことなく容易に固定することができる。なお、ミニチュア１１は、仮止めであってもよいし、台紙１２に固定しなくてもよい。
【００３８】
図３（ｄ）は、上端に開口１３１が設けられた全体が透明なビニール製の袋体１３を示す図である。この袋体１３は、より具体的には、縦８６ｍｍ、横３４ｍｍの大きさ（内径は縦８２ｍｍ、横３０ｍｍ）のポリ塩化ビニル（ＰＶＣ）ケースであって、９種類のお守り１０に共通して使用される。ミニチュア１１が配置された台紙１２は、上端の開口１３１から、この袋体１３内に収納され、パッケージ化されて、お守りとして持ち運びやすくなる。
【００３９】
また、袋体１３の上端の開口１３１は閉じられず、この開口１３１から台紙１２が出し入れ自在になっている。このため、場合によっては、ミニチュア１１が配置された台紙１２を、袋体１３から取り出して使う（例えば、飾ったりする）こともでき、刀身を模したミニチュア１１に直接触れたり、そのミニチュア１１を手に取ることができる。
【００４０】
なお、上端の開口１３１を開封不能に閉じてもよく、こうすることで、お守りらしさが増す場合もある。さらに、袋体１３を密閉し、袋体１３のビニールをミニチュア１１に密着させ、ミニチュア１１を固定するようにしてもよい。
【００４１】
なお、袋体１３は、ミニチュア１１をおもて側から視認できる範囲に限って透明であってもよい。すなわち、全部が透明でなくてもよく、一部のみが透明であってもよいし、あるいは、全部又は一部が半透明であってもよい。さらには、袋体１３は、ミニチュア１１をおもて側から視認できる窓部が設けられ、その窓部は開口したままのもの、すなわち透明部材が設けられていないものであってもよい。
【００４２】
以上説明した本考案の一実施形態のお守り１０によれば、刀剣全体のうち、刀身のみをミニチュア１１にしたことで携帯性が向上し、さらに、台紙１２と袋体１３を用いてパッケージ化したので、持ち運びに好適である。そして、本考案の一実施形態のお守り１０は、刀剣のご利益を少しでもあやかることについて期待をすることができる。また、質感の高いミニチュア１１を所持していることで、お守り１０の所持者には、願い事が叶わないわけがないといった自己暗示が働き、所持者を幸せにすることもできる。
【００４３】
また、ミニチュア１１ではあるが、名立たる美しい名刀を手元に持つ喜びを提供することもできる。
【００４４】
さらに、袋体１３の開口を残し、刀身を模したミニチュア１１を袋体１３から取り出し、そのミニチュア１１を手に取ることもできる。
【００４５】
本考案は、以上説明した実施の形態に限定されるものでなく、実用新案登録請求の範囲に記載した範囲で種々の変更を行うことが出来る。
【符号の説明】
【００４６】
１０    お守り
１１    ミニチュア
Ｋ８１    下面
１２    台紙
１３    袋体
２０    販売用パッケージ
２１    化粧紙
２２    ＯＰＰ袋
【図１】
0003203737.tif 000003
【図２】
0003203737.tif 000004
【図３】
0003203737.tif 000005